(57)【要約】【課題】磁性粒子を有するセルが２次元的に多数配列されてなる磁気パネルに磁界を印加することにより所定の情報の表示および消去を行なう磁気表示装置において、磁気パネル上に表示された文字や図形などを適切に消去する。【解決手段】移動手段１６に磁界印加手段１４のＹ方向への移動とＸ方向への移動とを交互に繰り返し行なわせるとともに、磁界印加手段１４に消去方向の極性の磁界を印加させることにより磁気パネルに表示された所定の情報の消去させる。【選択図】　　　　　図１
2004053621.tif 000002
【特許請求の範囲】
【請求項１】
磁性粒子を有するセルが２次元的に多数配列されてなり前記磁性粒子により所定の情報を表示する磁気パネルと、電磁石が少なくとも前記磁気パネルの長さ分線状に多数配列されてなり前記磁気パネルの磁性粒子に磁界を印加する磁界印加手段と、前記磁界印加手段を前記磁界印加手段の長さ方向に対して略直交する方向に移動させる移動手段とを備えた磁気表示装置において、
前記移動手段が、前記磁界印加手段を前記略直交する方向に移動させるとともに、前記長さ方向にも移動させるものであり、
前記移動手段に前記略直交する方向への移動と前記長さ方向への移動とを交互に繰り返し行なわせるとともに、前記磁界印加手段に消去方向の極性の磁界を前記磁気パネルに印加させることにより前記磁気パネルに表示された所定の情報を消去させる制御手段を有することを特徴とする磁気表示装置。
【請求項２】
前記磁界印加手段が、前記磁界の極性を反転させることにより前記所定の情報の表示と前記消去との両方を行なうものであり、
前記制御手段が、さらに、前記移動手段に前記略直交する方向への移動と前記長さ方向への移動とを交互に繰り返し行なわせるとともに、前記磁界印加手段に表示方向の極性の磁界を前記磁気パネルに印加させることにより前記磁気パネルに所定の情報を表示させるものであることを特徴とする請求項１記載の磁気表示装置。
【請求項３】
前記制御手段が、
前記移動手段に前記略直交する方向への移動と前記長さ方向への移動とを交互に繰り返し行なわせるとともに、前記磁界印加手段に表示方向の極性の磁界を前記磁気パネルに印加させる表示処理と、
前記移動手段に前記略直交する方向への移動と前記長さ方向への移動とを交互に繰り返し行なわせるとともに、前記磁界印加手段に消去方向の極性の磁界を前記磁気パネルに印加させる消去処理とを繰り返し行なわせることにより前記磁性粒子の反転動作回復処理を行なわせるものであることを特徴とする請求項２記載の磁気表示装置。
【請求項４】
前記制御手段が、
前記所定の情報の消去を行なうときの前記長さ方向への移動が前記電磁石の配列ピッチの３０〜７０％の距離分になるよう、前記移動手段を制御することを特徴とする請求項１から３いずれか１項記載の画像表示装置。
【発明の詳細な説明】
【０００１】
【発明の属する技術分野】
本発明は、磁性粒子を有するセルが２次元的に多数配列されてなる磁気パネルに磁界を印加することにより所定の情報の表示および消去を行なう磁気表示装置に関するものである。
【０００２】
【従来の技術】
従来より、磁性粒子を有するセルが２次元的に多数配列されてなる磁気パネルに磁界を印加することにより文字や図形などの表示および消去を行なう磁気表示装置が、事務用品や玩具といった様々な分野で利用されている。
【０００３】
上記磁気表示装置としては、たとえば、セル内に分散液と、Ｎ極とＳ極にそれぞれ異なる色が着色された磁性粒子とが充填され、極性の反転を利用して文字や図形などの表示を行なう、いわゆる磁気フレーク型の磁気表示装置や、セル内に白色の分散液と、黒色の磁性粒子とが充填され、分散液の色と磁性粒子の色とのコントラストの差で表示を行なう磁気表示装置などが提案されている。上記のような磁気表示装置においては、磁気パネルに磁界を印加するため、永久磁石や電磁石などが利用されるが、電磁石を利用する場合には、たとえば、鉄心にコイルを巻いた電磁石を線状に多数配列してヘッドを構成する。そして、このヘッドを磁気パネルに対してその長さ方向と略直交する方向に移動させるとともに、電磁石へ流れる電流を制御して磁界を印加することにより自動的に磁気パネルに文字や図形などを表示させたり、消去したりすることが可能である。
【０００４】
【発明が解決しようとする課題】
しかしながら、上記のように多数の電磁石が線状に配列されてなるヘッドを利用して磁気パネルに表示された文字や図形などの消去を行なう場合、ヘッドを構成する電磁石の大きさは、直径数ｍｍ程度であるため、ただ単純に長さ方向に直線状に電磁石を配列して構成したヘッドの場合、該ヘッドをその長さ方向と略直交する方向に移動させるだけでは、電磁石と電磁石とが隣接する位置付近の磁界が弱いことから該位置付近に対向する磁気パネル上の表示を適切に消去することが困難であった。特開平２−９９９８７号公報には、電磁石と電磁石とがヘッドの長さ方向において一部重なり合うようにヘッドの長さ方向に対して斜めに配列することにより電磁石の中心間を狭くしたヘッドが提案されているが、このようなヘッドの構成にした場合には、使用する電磁石の数が非常に多くなりコストアップとなる。
【０００５】
本発明は、上記のような事情に鑑み、電磁石の数を増やすことなく、磁気パネル上に表示された文字や図形などを適切に消去することができる磁気表示装置を提供することを目的とするものである。
【０００６】
【課題を解決するための手段】
本発明の磁気表示装置は、磁性粒子を有するセルが２次元的に多数配列されてなり磁性粒子により所定の情報を表示する磁気パネルと、電磁石が少なくとも磁気パネルの長さ分線状に多数配列されてなり磁気パネルの磁性粒子に磁界を印加する磁界印加手段と、磁界印加手段を磁界印加手段の長さ方向に対して略直交する方向に移動させる移動手段とを備えた磁気表示装置において、移動手段が、磁界印加手段を上記略直交する方向に移動させるとともに、上記長さ方向にも移動させるものであり、その移動手段に上記略直交する方向への移動と前記長さ方向への移動とを交互に繰り返し行なわせるとともに、磁界印加手段に消去方向の極性の磁界を磁気パネルに印加させることにより磁気パネルに表示された所定の情報を消去させる制御手段を有することを特徴とするものである。
【０００７】
ここで、上記「磁性粒子」とは、たとえば、Ｎ極とＳ極を有する粒子をいうが、鉄粉なども含むものとする。
【０００８】
また、上記「所定の情報」とは、たとえば、文字や図形などを意味する。
【０００９】
また、上記「磁気パネルの長さ」とは、上記磁界印加手段の長さ方向における磁気パネルの実質的な表示領域の長さのうち最大の長さを意味する。
【００１０】
また、磁界印加手段は、さらに、磁界の極性を反転させることにより所定の情報の表示と消去との両方を行なうものであり、制御手段が、移動手段に上記略直交する方向への移動と上記長さ方向への移動とを交互に繰り返し行なわせるとともに、磁界印加手段により表示方向の極性の磁界を磁気パネルに印加させることにより磁気パネルに所定の情報を表示させるものとすることができる。
【００１１】
また、制御手段を、移動手段に略直交する方向への移動と長さ方向への移動とを交互に繰り返し行なわせるとともに、磁界印加手段に表示方向の極性の磁界を磁気パネルに印加させる表示処理と、移動手段に略直交する方向への移動と長さ方向への移動とを交互に繰り返し行なわせるとともに、磁界印加手段に消去方向の極性の磁界を磁気パネルに印加させる消去処理とを繰り返し行なわせることにより磁性粒子の反転動作回復処理を行なわせるものとすることができる。
【００１２】
ここで、上記「反転動作回復処理」の上記「表示処理」において、磁気パネルに表示させる情報は、上記に示した文字や図形などの情報ではなく反転動作回復処理用の情報であり、たとえば、磁気パネルの全面または一部が所定の濃度以上である画像などである。
【００１３】
また、上記「反転動作回復処理」において表示処理と消去処理を繰り返し行なうとは、たとえば、磁気パネルの全面または一部について上記のような表示処理を行なった後、その全面または一部の表示に対して上記の消去処理を行なうといった処理を繰り返し行なうようにしてもよいし、また、同じ位置において表示処理と消去処理を繰り返し行なった後に磁界印加手段の上記略直交する方向への移動または上記長さ方向への移動を行なうといった処理を繰り返し行なうようにしてもよい。
【００１４】
また、制御手段を、上記所定の情報の消去を行なうときの上記長さ方向への移動が電磁石の配列ピッチの３０〜７０％の距離分になるよう、移動手段を制御するものとすることができる。
【００１５】
【発明の効果】
本発明の磁気表示装置によれば、移動手段に磁界印加手段の上記略直交する方向への移動と上記長さ方向への移動とを交互に繰り返し行なわせるとともに、磁界印加手段に消去方向の極性の磁界を印加させることにより磁気パネルに表示された所定の情報を消去させるようにしたので、長さ方向にも磁界印加手段を動かすことにより、長さ方向に動かす前の電磁石同志の間の位置付近に対向する磁気パネルの範囲にも十分な磁界を印加することができ、その結果、電磁石の数を増やすことなく磁気パネル上に表示された文字や図形などを適切に消去することができる。
【００１６】
また、磁界印加手段を、磁界の極性を反転させることにより所定の情報の表示と消去との両方を行なうものとし、制御手段を、さらに、移動手段に上記略直交する方向への移動と上記長さ方向への移動とを交互に繰り返し行なわせるとともに、磁界印加手段に表示方向の極性の磁界を印加させることにより磁気パネルに所定の情報を表示させるものとした場合には、１つの磁界印加手段により表示と消去を行なうことができるので、装置の構造を簡略化することができ、コストの削減を図ることができる。
【００１７】
また、制御手段を、移動手段に略直交する方向への移動と長さ方向への移動とを交互に繰り返し行なわせるとともに、磁界印加手段に表示方向の極性の磁界を磁気パネルに印加させる表示処理と、移動手段に略直交する方向への移動と長さ方向への移動とを交互に繰り返し行なわせるとともに、磁界印加手段に消去方向の極性の磁界を磁気パネルに印加させる消去処理とを繰り返し行なわせることにより磁性粒子の反転動作回復処理を行なわせるものとした場合には、簡略な装置構成で反転動作回復処理を行なうことができる。
【００１８】
また、上記所定の情報の消去を行なうときの上記長さ方向への移動の距離を、電磁石の配列ピッチの３０〜７０％の距離分とした場合には、磁気パネル上に表示された文字や図形などをより適切に消去することができる。
【００１９】
【発明の実施の形態】
以下、図面を参照しながら本発明の磁気表示装置の一実施形態を説明する。図１は本発明の磁気表示装置の一実施形態を利用した磁気表示システムの概略構成図である。
【００２０】
本磁気表示システムは、所定の画像（文字のみの場合も含む）を読み取り、該読み取った画像データを磁気表示装置２０に出力するスキャナ１０、スキャナ１０から出力された画像データに基づいて画像を表示する磁気表示装置２０、およびスキャナ１０および磁気表示装置２０に対してその動作命令を出力するコンピュータ３０とを備えている。
【００２１】
磁気表示装置２０は、磁性粒子を有するセルが２次元的に多数配列されてなり磁性粒子によりコンピュータ３０やスキャナ１０から出力された画像データに基づいて画像を表示する磁気パネル１２、多数の電磁石が線状に配列されてなり、磁気パネル１２の磁性粒子に磁界を印加する磁界印加手段１４、該磁界印加手段１４をその長さ方向（以下、Ｙ方向と呼ぶ）に対して略直交する方向（以下、Ｘ方向と呼ぶ）に移動させる移動手段１６（図示省略）、および磁界印加手段１４と移動手段１６との動作を制御する制御手段１８（図示省略）を有するものである。また、磁気表示装置２０は、操作パネル１１を有しており、コンピュータ３０からだけでなくこの操作パネル１１からも動作命令が入力できるようになっている。さらに、操作パネル１１からの画像データの選択入力も可能である。また、磁気表示装置２０は、磁界印加手段１４の位置が初期位置にあることを検出する初期位置スイッチ１３と磁界印加手段１４の位置がＥＮＤポジションにあることを検出するＥＮＤポジションスイッチ１５とを有している。また、本実施の形態においては、磁気表示装置２０の磁気パネル１２は、図１に示すように２本の支柱１７により立てられた起立型の磁気パネル１２としたが、本発明の磁気表示装置２０はこのような形態に限るものではない。
【００２２】
制御手段１８は、図２に示すようにコンピュータ３０から出力された画像データ、予め用意された画像データ、および後述する領域データなどを記憶する記憶部１９、後述する磁界印加手段１４を制御する複数の電磁石ドライバ４６、移動手段１６の動作を制御するモータドライバ２８、およびカウンタ（不図示）を備えている。
【００２３】
磁気パネル１２の３−３線断面図を図３に示す。図３に示すように、磁気パネル１２は、透明なシートである表面シート２４、半透明なシートである裏面シート２５および内壁２６からなる多数のセル２２が２次元的に多数配列されてなるものである。セル２２内には磁性粒子２１とともに分散液２３が満たされている。また、磁性粒子２１は、Ｓ極が黒色、Ｎ極が白色になっており、磁気パネル１２の表面付近に磁石のＮ極が接近したときに、その磁界（表示方向の極性の磁界）により磁性粒子２１のＳ極側が表面シート２４の方に向くことにより黒色の表示を行なうことができ、磁気パネル１２の表面付近に磁石のＳ極が接近したときに、その磁界（消去方向の極性の磁界）により磁性粒子のＮ極側が表面シート２４の方に向くことにより表示の消去を行なうことができる。
【００２４】
磁界印加手段１４は、図４に示すように、電磁石４３が多数配列されたヘッド部４５を備えている。ヘッド部４５は、鉄心４１とその鉄心４１に巻き付けられたコイル４２からなる電磁石４３がベース板４４上にＹ方向に多数配列されてなるものである。また、制御手段１８における複数の電磁石ドライバ４６は、図５（ａ）に示すように、電圧源４７と４つのトランジスタＡ，Ｂ，Ｃ，Ｄとを有しており、この４つのトランジスタのスイッチングを行なうことによりヘッド部４５の各電磁石４３のコイル４２に書込電流または消去電流を流すことができるものである。トランジスタのスイッチングは図５（ｂ）に示す表にしたがって行なわれる。図５（ｂ）の表に示すとおり、書込み時にはトランジスタＡ，ＤがＯＮし、トランジスタＢ，ＣがＯＦＦすることにより、ａからｂ方向に書込電流が流れる。また、消去時にはトランジスタＢ，ＣがＯＮし、トランジスタＡ，ＤがＯＦＦすることにより、ｃからｄ方向に消去電流が流れる。なお、磁界印加手段１４の長さは、図１に示すように、ほぼ磁気パネル１２（磁気パネル１２はその全面が表示領域である）のＹ方向の長さと同様である。
【００２５】
移動手段１６の詳細を図６に示す。図６に示すように、移動手段１６は、モータ６１、ギア６２，６３、プーリ６４，６５、搬送ベルト６６、レール６７および滑車部６８を備えている。モータ６１の回転によって、ギア６２，６３が回転し、搬送ベルト６６が送られる。そして、搬送ベルト６６が送られることにより、該搬送ベルト６６の一部に固定された磁界印加手段１４のヘッド部４５が移動するとともに、滑車部６８における滑車がレール６７に案内されて移動し、磁界印加手段１４がＸ方向に移動する。また、滑車部６８の内部を図７に示す。図７に示すように、滑車部６８は、磁界印加手段１４をＸ方向に移動させるための滑車８１とともに、磁界印加手段１４をＹ方向に移動させるためのスクリュー軸８２、スクリュー軸の軸受け８３、ギア８４，８５およびモータ８６を備えている。滑車部６８は、モーター８６を回転させることにより、ギア８４，８５を回転させ、これによりスクリュー軸８２を回転させることにより軸受け８３に接続された磁界印加手段１４を軸受け８３とともにＹ方向に移動させるものである。
【００２６】
また、本実施の形態においては、磁界印加手段１４をＹ方向に移動させるために上記のようにスクリュー軸を利用するようにしたが、図８に示すように、モータ８７、凹凸回転体を有するギア８８およびシーソーレバー８９を利用し（凹凸回転体は、ギア８８上に軸方向に厚さを有し、その厚さによりシーソーレバー８９を支えることができるものである）、凹凸回転体を有するギア８８をモータ８７により矢印方向に回転させてシーソーレバー８９の磁界印加手段１４側の先をシーソーレバーの支点９１を介し下方向に移動させ、その後、戻しバネ９０で引くことにより磁界印加手段１４を再び上方向に移動させることによりＹ方向の移動を行なってもよい。
【００２７】
次に、上記磁気表示システムの作用について、図９から図１２に示すフローチャートを用いて説明する。
【００２８】
まず、電源が投入された後、制御手段１８における記憶部１９やカウンターに記憶された内容がリセットされる（Ｓ１０）。そして、コンピュータ３０または操作パネル１１からのコマンド入力待ち状態となる（Ｓ１２）。本実施の形態では、コンピュータ３０から出力された画像データを磁気パネル上に表示する場合には、書込コマンドが入力され、磁気パネル上に表示された画像を消去する場合には、消去コマンドが入力され、反転動作回復処理を行なう場合には、回復コマンドが入力される。反転動作回復処理については、後に詳細に説明する。
【００２９】
まず、本発明の磁気表示装置２０に画像を表示させる作用、つまり、Ｓ１２において書込コマンドが入力された際の作用について説明する。
【００３０】
Ｓ１２において、書込コマンドが入力された場合、書込コマンドが入力されたことを判別し（Ｓ１４）、Ｓ１６へ進む。Ｓ１６においては、磁界印加手段１４のヘッド部４５の位置が初期位置にあるかどうかを確認し、初期位置にない場合には、移動手段１６によりＸ方向の初期位置に移動させる（Ｓ１７）。次に、入力されたコマンドがコンピュータ３０から入力されたものか、操作パネル１１から入力されたものかの判別を行なう（Ｓ１８）。Ｓ１８において操作パネル１１からの入力でないと判別された場合には、Ｓ２０に進む。そして、Ｓ２０において、コンピュータ３０からの画像データ入力待ち状態となる。コンピュータ３０から画像データが入力された際には、これを記憶部１９に記憶する（Ｓ２２）。そして、画像データの入力が終了したか否かを確認し（Ｓ２４）、終了した場合には、Ｓ２６に進む。Ｓ２６では、記憶部１９に記憶された画像データを磁界印加手段１４のヘッド部４５における電磁石４３の配列に応じて変換し、書込み総ライン数であるＮａｌｌライン分のヘッドデータを作成する（Ｓ２６）。一方、Ｓ１８において、コマンドが操作パネル１１からの入力であると判別された場合には、操作パネル１１から選択入力された画像データ、具体的には予め用意された定型画像データやコンピュータ３０から１度入力されバッファされた画像データ、を磁界印加手段１４のヘッド部４５における電磁石４３の配列に応じて変換し、書込み総ライン数であるＮａｌｌライン分のヘッドデータを作成する（Ｓ２６）。そして、カウンタＮの値を１とし（Ｓ２８）、１ライン目のヘッドデータに基き、磁界印加手段１４のヘッド部４５の電磁石４３に書込電流を流す（Ｓ３０）。そして、次に、上記位置と同じラインにおいて、移動手段１６により磁界印加手段１４のヘッド部４５を電磁石４３のピッチの半分の距離だけＹ方向上向きに移動させ（なお、Ｓ３２におけるＹ方向への移動は上下交互に行なわれる。したがって、次にＳ３２まで進んだときにはＹ方向下向きに磁界印加手段１４が移動する）、上記と同様に書込電流を流すことにより書込みを行なった後に（Ｓ３２）、書込電流をＯＦＦにする（Ｓ３４）。そして、移動手段１６により１ライン分ヘッド部４５をＸ方向（ＥＮＤポジションの方向）に移動する（Ｓ３６）。次に、磁界印加手段１４のヘッド部４５の位置がＥＮＤポジションであり、ＥＮＤポジションスイッチがＯＮしているか否かを確認し（Ｓ３８）、ＯＮでない場合にはＮ＝Ｎ＋１としてＳ４０に進む（Ｓ３９）。ＯＮしている場合にはＳ４４に進む。Ｓ４０においては、カウンタＮの値がＮａｌｌであるか否かを確認し、Ｎａｌｌである場合にはＳ４２に進む。カウンタＮの値がＮａｌｌでない場合には、再びＳ３０に戻る。Ｓ４０においてＮ＝Ｎａｌｌとなった場合にはＳ４２に進み、磁界印加手段１４のヘッド部４５をＥＮＤポジションに移動させた後、Ｓ４４に進み、磁界印加手段１４のヘッド部４５の移動を停止させる。そして、Ｓ１２まで戻り、再びコマンド入力待ち状態となる。
【００３１】
なお、上記表示の作用においては、１ライン毎にヘッド部４５をＹ方向に移動させるようにしたが、これに限らず、全ラインについてＸ方向にのみヘッド部４５を移動させて表示させた後に、Ｙ方向にヘッド部４５を移動させ、その後全ラインについて再びＸ方向にのみ（最初に移動させたときとは逆方向に）ヘッド部４５を移動させて表示させるようにしてもよい。さらに、複数ライン毎に上記のような表示を行ない、これを繰り返して磁気パネル１２の全面について表示するようにしてもよい。
【００３２】
次に、本発明の磁気表示装置表示に表示された画像を消去する作用、つまり、Ｓ１２において消去コマンドが入力された際の作用について説明する。
【００３３】
Ｓ１２において、コンピュータ３０もしくは操作パネル１１から消去コマンドが入力された場合、消去コマンドが入力されたことを判別し（Ｓ１４）、Ｓ４６へ進む。Ｓ４６においては、磁界印加手段１４のヘッド部４５の位置がＥＮＤポジションにあるかどうかを確認し、ＥＮＤポジションにない場合には、移動手段１６によりＥＮＤポジションに移動させる（Ｓ４７）。次に、入力された消去コマンドが座標指定のコマンドであるか否かを判別する（Ｓ４８）。Ｓ４８において座標指定のコマンドではないと判別された場合には、Ｓ５０に進む。そして、Ｓ５０において、磁界印加手段１４のヘッド部４５の全電磁石４３に消去電流が流され、個々の電磁石４３に対向した磁気パネル上のドットの表示が消去される。そして、次に、上記位置と同じラインにおいて、移動手段１６により磁界印加手段１４のヘッド部４５を電磁石４３のピッチの半分の距離だけＹ方向上向きに移動させて消去を行なう（Ｓ５２）（なお、Ｓ５２におけるＹ方向への移動は上下交互に行なわれる。したがって、次にＳ５２まで進んだときにはＹ方向下向きに磁界印加手段１４が移動する）。そして、移動手段１６により１ライン分ヘッド部４５をＸ方向（初期位置の方向）に移動した後、ヘッド部４５の電磁石４３の消去電流をＯＦＦにする（Ｓ５４）。次に、磁界印加手段１４のヘッド部４５の位置が初期位置であり、初期位置スイッチがＯＮしているか否かを確認し（Ｓ５６）、ＯＮでない場合にはＳ５０に進む。ＯＮしている場合にはＳ５８に進み、磁界印加手段１４のヘッド部４５の移動を停止させる。そして、Ｓ１２まで戻り、再びコマンド入力待ち状態となる。
【００３４】
なお、上記消去の作用においては、１ライン毎にヘッド部４５をＹ方向に移動させるようにしたが、これに限らず、全ラインについてＸ方向にのみヘッド部４５を移動させて消去を行なった後に、Ｙ方向にヘッド部４５を移動させ、その後全ラインについて再びＸ方向にのみ（最初に移動させたときとは逆方向に）ヘッド部４５を移動させて消去を行なうようにしてもよい。さらに、複数ライン毎に上記のような消去を行ない、これを繰り返して磁気パネル１２の全面について消去を行なうようにしてもよい。
【００３５】
また、Ｓ４８において、入力された消去コマンドが座標指定のコマンドであると判別された場合には、Ｓ６０に進む。Ｓ６０においては、カウンタＬを１にセットする。そして、コンピュータ３０から座標データが入力されるのを待つ状態となる（Ｓ６２）。そして、コンピュータ３０から座標データが入力されると、この座標データを記憶部１９に記憶する（Ｓ６４）。座標データとは、消去電流を流す電磁石４３の位置データであり、１画素毎にＸ座標とＹ座標とが入力されるものである。図１３（ａ）に座標データの例、図１３（ｂ）に図１３（ａ）の座標データが示す磁気パネル上１４における位置を示す。
【００３６】
そして、コンピュータ３０からの座標データ出力の終了コマンドが入力されるまでは、Ｌを１ずつ加算しながら（Ｓ６５）、Ｓ６２およびＳ６４を繰り返して行なう（Ｓ６６）。Ｓ６６において、終了コマンドが入力された際には、Ｓ６８に進む。Ｓ６８においては、磁界印加手段１４のヘッド部４５をカウンタＬに記憶されたＸ座標の位置に移動させる。そして、カウンタＬに記憶されたＹ座標に該当する電磁石４３に消去電流を流す（Ｓ７０）。次に、磁界印加手段１４のヘッド部４５をＹ方向上向きに移動させた後、カウンタＬの値をＬ＝Ｌ−１とする（Ｓ７２）（なお、Ｓ７２におけるＹ方向への移動は上下交互に行なわれる。したがって、次にＳ７２まで進んだときにはＹ方向下向きに磁界印加手段１４が移動する）。そして、消去電流をＯＦＦにした後（Ｓ７４）、カウンタＬの値が０か否かを確認し（Ｓ７６）、０でない場合にはＳ６８に戻る。カウンタＬの値が０になった場合には、ヘッド部４５を初期位置に移動させる（Ｓ７８）。そして、ヘッド部４５の移動を停止した後（Ｓ８０）、Ｓ１２まで戻り、再びコマンド入力待ち状態となる。
【００３７】
次に、本発明の磁気表示装置において反転動作回復処理を行なう際の作用、つまり、Ｓ１２において回復コマンドが入力された際の作用について説明する。
【００３８】
Ｓ１２において、回復コマンドが入力された場合、回復コマンドが入力されたことを判別し（Ｓ１４）、反転動作回復処理を開始する。ここで、反転動作回復処理とは、磁気表示パネルにおけるセル内の磁性粒子が正常な反転動作をしなくなったときに行なわれる処理である。反転動作回復処理においては、図１２のフローチャートに示すように、まず、カウンタＭの値を３にセットする（Ｓ８２）。そして、Ｓ１６からＳ４４までを実行することにより磁気パネル１０の全面に一定濃度の画像の書込みを行なう（Ｓ８４）。なお、このときの一定濃度の画像の画像データはコンピュータ３０から出力するようにしてもよいし、予め記憶部１９に記憶しておいてもよい。
【００３９】
そして、次にＳ４６からＳ５８までを実行することにより磁気パネル１０の全面に書き込まれた画像を消去した後（Ｓ８６）、カウンタＭの値をＭ＝Ｍ−１に更新し（Ｓ８８）、Ｍの値が０になったか否かを確認する（Ｓ９０）。Ｍの値が０でない場合には、Ｓ８４に戻り、Ｍの値が０になった場合には、Ｓ９２に進み反転動作回復処理を終了する。そして、Ｓ１２まで戻り、再びコマンド入力待ち状態となる。
【００４０】
本発明の磁気表示装置２０によれば、移動手段１６にヘッド部４５のＹ方向への移動とＸ方向への移動とを交互に繰り返し行なわせるとともに、ヘッド部４５に消去方向の極性の磁界を印加させることにより磁気パネルに表示された所定の情報の消去させるようにしたので、Ｙ方向にも磁界印加手段１４を動かすことにより、Ｙ方向に動かす前の電磁石４３同志の間の位置付近に対向する磁気パネル１２の範囲にも十分な磁界を印加することができ、その結果、電磁石の数を増やしたりすることなく磁気パネル上に表示された文字や図形などを適切に消去することができる。
【００４１】
また、上記磁気表示システムにおいては、画像データはコンピュータ３０から入力されるようにしたが、スキャナ１０からコンピュータ３０を介さずに直接入力される態様としてもよい。
【００４２】
また、上記磁気表示システムにおいては、スキャナ１０、磁気表示装置２０およびコンピュータ３０をＬＡＮや無線ＬＡＮなどのネットワークを介して接続するようにしてもよい。
【図面の簡単な説明】
【図１】本発明の磁気表示装置を利用した磁気表示システムの概略構成図
【図２】本発明の磁気表示装置の制御手段の詳細を示す図
【図３】本発明の磁気表示装置の磁気パネルの詳細を示す図
【図４】本発明の磁気表示装置の磁界印加手段のヘッド部の詳細を示す図
【図５】本発明の磁気表示装置の磁界印加手段のドライブ回路を示す図
【図６】本発明の磁気表示装置の移動手段の詳細を示す図
【図７】移動手段の滑車部の詳細を示す図
【図８】移動手段の滑車部の他の形態を示す図
【図９】本発明の磁気表示装置の作用を説明するフローチャート
【図１０】本発明の磁気表示装置の作用を説明するフローチャート
【図１１】本発明の磁気表示装置の作用を説明するフローチャート
【図１２】本発明の磁気表示装置の作用を説明するフローチャート
【図１３】座標データを説明する図
【符号の説明】
１０　　スキャナ
１１　　操作パネル
１２　　磁気パネル
１３　　初期位置スイッチ
１４　　磁界印加手段
１５　　ＥＮＤポジションスイッチ
１６　　移動手段
１８　　制御手段
１９　　記憶部
２０　　磁気表示装置
２１　　磁性粒子
２２　　セル
２３　　分散液
２４　　表面シート
２５　　裏面シート
２６　　内壁
４１　　鉄心
４２　　コイル
４３　　電磁石
４４　　ベース板
４５　　ヘッド部
４６　　ドライブ回路
６８　　滑車部
８１　　滑車
【図１】
2004053621.tif 000003
【図２】
2004053621.tif 000004
【図３】
2004053621.tif 000005
【図４】
2004053621.tif 000006
【図５】
2004053621.tif 000007
【図６】
2004053621.tif 000008
【図７】
2004053621.tif 000009
【図８】
2004053621.tif 000010
【図９】
2004053621.tif 000011
【図１０】
2004053621.tif 000012
【図１１】
2004053621.tif 000013
【図１２】
2004053621.tif 000014
【図１３】
2004053621.tif 000015